(57)【要約】【課題】この考案は、上記リビングから個室につながるリビング通過型構造のメリットを生かし、デメリットを解消する住戸構造を得ることを課題とするものである。【解決手段】この考案の住戸構造は、コモンスペース４に玄関ホール２への出入り口及び廊下７への出入り口を設け、プライベートスペース９，１２は前記コモンスペースに隣接しない位置に配置し、前記廊下にプライベートスペースへの出入り口を設け、プライベートルームと玄関ホールとは前記コモンスペース及び廊下を介して行き来可能としたものである。【選択図】図１
0003119625.tif 000002
【実用新案登録請求の範囲】
【請求項１】
コモンスペースに玄関ホールへの出入り口及び廊下への出入り口を設け、プライベートスペースは前記コモンスペースに隣接しない位置に配置し、前記廊下にプライベートスペースへの出入り口を設け、プライベートルームと玄関ホールとは前記コモンスペース及び廊下を介して行き来可能とした、住戸構造
【請求項２】
コモンスペースにおける廊下への出入り口は、玄関ホールへの出入り口の反対側に配置した、請求項１記載の住戸構造
【請求項３】
プライベートルームは２部屋とし、一方の部屋は廊下の突き当たりに出入り口を配置し、他方の部屋は廊下の突き当たり側方に出入り口を配置した、請求項１又は２記載の住戸構造
【請求項４】
コモンスペースの一側にキッチンを配置し、キッチンに沿って廊下を配設し、キッチンのコモンスペース反対側にプライベートルームを配設した、請求項１ないし３の何れかに記載の住戸構造
【考案の詳細な説明】
【技術分野】
【０００１】
この考案は、主として集合住宅に適用される住戸構造に関し、プライベートルームへ行くためにコモンスペースを通過するようにした構造を採りつつ、プライベートルームのプライバシー確保を高めるようにしたものである。
【背景技術】
【０００２】
子供のいる家族向けの住戸においては、子供と顔をあわせる機会を高めるために、個室（子供部屋）への行き来にリビングなどのコモンスペースを通過するようにした構造が提案され、広く実施されている。この構造は、玄関と子供の個室の動線にリビングやダイニングあるいはリビング・ダイニングなどのコモンスペースを配置した構造である。
【０００３】
上記構造は以下のメリットを有している。
ア）子供が個室へ行く際に必ずリビングを通るので、家庭内で親と子供が自然と顔を会わせ、声を掛け合うことができる。
イ）子供の友人が遊びに来たとき、友人はリビングを通るので親は子供の友達を確認することができる。
ウ）個室はリビングに隣接して配置されるので、リビングから個室の状況を把握しやすい。
エ）個室はリビングに隣接して配置されているので、子供がまだ個室を必要としないとき、あるいは子供が独立して個室が不要となったときには、リビングと個室をつなげて広く使用することができる。
エ）個室をバルコニーに面して配置しやすいので、開放感のある個室を得ることができる。
【０００４】
他方、以下のデメリットがある。
ア）個室はリビングに隣接して配置されるので、個室の独立性が低く、子供のプライバシー確保が難しい。
イ）個室の独立性が低いために、親の管理が強くなり、子供に自立が促されず、また親に対する反発が強くなる。
ウ）リビングの音が個室に届きやすく、勉強部屋として適さない。
【考案の開示】
【考案が解決しようとする課題】
【０００５】
この考案は、上記リビングから個室につながるリビング通過型構造のメリットを生かし、デメリットを解消する住戸構造を得ることを課題とするものである。
【課題を解決するための手段】
【０００６】
この考案の住戸構造は、コモンスペースに玄関ホールへの出入り口及び廊下への出入り口を設け、プライベートスペースは前記コモンスペースに隣接しない位置に配置し、前記廊下にプライベートスペースへの出入り口を設け、プライベートルームと玄関ホールとは前記コモンスペース及び廊下を介して行き来可能としたものである。
前記コモンスペースとは、リビングルーム、ダイニングルーム、リビング・ダイニングルームなど、日常生活において家族が共有する区画をいう。前記プライベートスペースとは、主として子ども用の個室又は寝室として使用されることを予定して用意されるスペースをいう。
なお、この考案においては、１又は複数のプライベートスペースが上記構成に基づき配置されていればよく、上記構成に基づかないプライベートスペースが追加されてもこの考案の技術的範囲に含まれるものである。また、「出入り口」は扉を備えていてもいなくてもよい。
【０００７】
前記コモンスペースにおける廊下への出入り口は、玄関ホールへの出入り口の反対側に配置すると、個室への動線がコモンスペースを横切ることとなり、加えて個室を配置しやすくなり好ましい（請求項２）。
【０００８】
通常の家族向けマンションにおいては、子供部屋は２部屋用意されるが、前記プライベートルームを２部屋とする場合、一方の部屋は廊下の突き当たりに出入り口を配置し、他方の部屋は廊下の突き当たり側方に出入り口を配置することがスペースの効率的な利用に繋がる（請求項３）。そして、コモンスペースの一側にキッチンを配置し、キッチンに沿って廊下を配設し、キッチンのコモンスペース反対側にプライベートルームを配設する構造とすると、プライベートスペースの独立性は著しく向上する（請求項４）。
なお、プライベートスペースの数に限定はない。
【考案の効果】
【０００９】
この考案によれば、玄関とプライベートスペースを結ぶ主な動線はコモンスペース経ることとなる。すなわち、通常の経路においてはコモンスペースを通って玄関とプライベートスペース（個室）の間を行き来することとなる。この点において従来のリビング通過型の構成と同じであるから、上記リビング通過型のメリットをそのまま享有することができる。
他方、従来のリビング通過型と異なり、プライベートスペースはコモンスペースに隣接しておらず、プライベートスペースとコモンスペースとの間には廊下が配置されている。そのためにプライベートスペースの独立性が高まり、プライバシーが確保される。その結果、子供の自立心が促され、また勉強しやすい環境となる。
すなわち、子供にとって住みやすい家、快適な家となり、家への愛着が生まれ家に帰りたくなり、ひいては家族の結びつきも強まる家となる。
【考案を実施するための最良の形態】
【００１０】
図において、玄関１に隣接して玄関ホール２が設けてあり、玄関ホール２に出入り口３を介してリビング・ダイニングルーム（以下「ＬＤＫ」という。）４が配置してある。このＬＤＫ４の４面を前記出入り口３が設けられた面を４ａとして、以下時計回りに４ｂ、４ｃ、４ｄと表示すると、前記出入り口３は面４ａの面４ｄ寄りに配置してあり、面４ｄに隣接してキッチン５が配置してあり、面４ｄの面４ｃ寄りに出入り口６を介して廊下７が配置してある。
【００１１】
前記廊下７は前記キッチン５に沿って伸びており、廊下７の突き当たりに出入り口８を介して第一個室９が配置してある。この第一個室９は前記キッチン５のＬＤＫと反対側の面に隣接して配置してある。そして、キッチン５側には収納庫１０が設けてある。
前記廊下７の突き当たり部分におけるキッチン５の反対面に出入り口１１を介して第二個室１２が配置してある。この第二個室１２の一面は前記第一個室の一面に隣接している。
【００１２】
図中符号１３は洋室、１４は和室であり、いずれも前記ＬＤＫに隣接して配置してあり、それぞれＬＤＫとの間に出入り口が設けてある。
【００１３】
上記実施形態において、帰宅した子供は玄関１から玄関ホール２，出入り口３を経てＬＤＫ４に入る。ここで家族と顔を合わせ、ＬＤＫ４を横切って廊下７を経て個室へ至る。
したがって、家族と顔を合わせ言葉を交わす機会が確保され、また友人が遊びに来たときも、親は友人を確認することができる。
【００１４】
他方、以下のように個室の独立性が高く、子供のプライバシーが確保できる。
第一個室９は、ＬＤＫ３との間が廊下７で隔てられているのみならず、間にキッチン５と収納庫１０が配置されている。したがって、ＬＤＫ３の音が個室９に届きにくく快適な勉強環境が得られる。また、個室９の音もＬＤＫ３に届きにくく、かつ親がいるＬＤＫ３と距離的に離れて構造的にも隔絶されているので、子供のプライバシーも確保され、親の管理・監視も弱まり、子供の自立心が育まれる。
第二個室１２においても、構造的な隔絶性は第一個室９よりも弱いとはいえ、音が相互に聞こえにくく、距離的に離れていることから親の管理・監視が弱まるなど、第一個室とほぼ同等の独立性、プライバシー確保が得られる。
【産業上の利用可能性】
【００１５】
この考案によれば、コモンスペースを通らなければプライベートスペースにいけないように構成すると共に、コモンスペースとプライベートスペースとを廊下でつないだので、プライベートペースの独立性が確保され、プライベートスペースのプライバシーが確保される。その結果、子供の健全な成長をサポートし、家族の絆が深まる住戸を得ることができるものであって、産業上の利用可能性を有するものである。
【図面の簡単な説明】
【００１６】
【図１】この考案実施形態の間取り図である。
【符号の説明】
【００１７】
１    玄関
２    玄関ホール
３    出入り口
４    ＬＤＫ
５    キッチン
６    出入り口
７    廊下
８    出入り口
９    第一個室
１０  収納庫
１１  出入り口
１２  第二個室
１３  洋室
１４  和室
【図１】
0003119625.tif 000003